(57)【要約】【課題】従来の磁気装身具は一般に球状又は棒状の固体磁石を用い、それに鍍金をしていたので、金属が直接膚に触れ、特異体質の人々に金属アレルギー症状を起こさせることが多く、また磁気が強過ぎ、種々の症状を起こしやすかった。また磁力が低下しやすく、磁気が局所的である欠点もあった。【解決手段】本考案は紐状に成型し、その軸方向と直交する方向であって磁極が抽と平行に直線状、又は軸を中心に螺旋状になるように着磁した、プラスチック磁石その成分組成が希土類系乃至フェライト系若しくは希土類プラス、フェライトのハイブリット磁石を特徴とする組成体１を用い、その上に動物又は人工の皮革、動植物又は高分子樹脂の繊維、糸などの有機物質からなる美麗な筒状体２で被覆したので、金属が直接膚に触れることがなく、金属アレルギー症状を起こすことがなく、また連続して比較的に一様な磁気を与えるようにしたから、磁気効果を向上すると共に、首又は手足首の周りに洒落たアクセサリーを得ることができる。【選択図】  図１
0003103256.tif 000002
【実用新案登録請求の範囲】
【請求項１】
プラスチック磁石にして、その成分組成が希土類系乃至フェライト系若しくは希土類プラス、フェライトのハイブリット磁石を特徴とする組成体を紐状に成型し、その軸方向と直交する方向であって、磁極の配列が軸と平行に直線状乃至軸を中心に螺旋状になるように着磁し、有機物質からなる筒状体で被覆したことを特徴とする磁気装身具。
【請求項２】
有機物質からなる筒状体が動物乃至人工の皮革、又は動植物乃至高分子樹脂の繊維、糸、布地、或いは高分子樹脂のシートから成る筒状組成体を特徴とする請求項１の磁気装身具
【請求項３】
磁性体の持つ磁束密度が筒状体の表面に於いて５０〜１００ｍＴである事と３〜６粒マイナスイオン放出す事を特徴とする磁気装身具
【考案の詳細な説明】
【技術分野】
【０００１】  本考案は磁石より発生する磁気及びマイナスイオンを応用した健康磁気装身具に関する。
【背景技術】
【０００２】従来から磁石を応用した健康磁気装身具は多数存在するが、いずれも図３に示すように棒状又は球状の固体磁石１１を適当な方法で、例えば鎖１２等で繋ぎ合わせ接続具に装飾１３に取り付けたものである。
又は図４に示すように、２個の磁石１１を金属リング１４に取り付けたものであって、美しく見せる為に鍍金または塗装されていた。
【考案の開示】
【０００３】  本考案は、紐状プラスチック磁石にして、その成分組成が希土類系乃至フェライト系若しくは希土類プラス、フェライトのハイブリット磁石を特徴とする組成体を有機物質の筒状体で被覆したから、従来の健康磁気装身具のような金属が、直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる事を奏する。
【考案が解決しようとする課題】
【０００４】  これから塗装したものは別として、鍍金したものは表面が金、又はプラチナなどの金属であり、皮膚の弱い特異体質の人々に対しては金属アレルギー症状を引き起こす事もあり、また焼結合金の磁石を用いるため磁束保持力が弱く磁力の持続性が無く磁気効果が低下しやすかった。また磁気が膚に当たるのは局所的であり、その効果も局所的で十分な効果が得られなかった。よって本考案はこれらの問題点を解決する為になされたものであって、その目的は金属アレルギーの発生を抑え、磁気乃至マイナスイオン効果及びその持続性の高い磁気装身具を得ようとするものである。
【課題を解決するための手段】
【０００５】  本考案は紐状に成型し、その軸方向と直交する方向であって磁極の配列が軸と平行に又は軸を中心に螺旋状になるように着磁し、有機物質からなる筒状体で被覆したことを特徴とする。そして磁気の強さが筒状体の表面に於いて５０〜１００ｍＴである事と３〜６粒マイナスイオン放出し、有機物質の筒状体が動物又は人工の皮革、動植物又は高分子樹脂の繊維、糸、布地或いは高分子樹脂のシートからなることを特徴とする。従来の健康磁気装身具のような金属が、直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる。
【考案の効果】
【０００６】  本考案は、上記したような構成になっており、紐状プラスチック磁石にして、その成分組成が希土類系乃至フェライト系若しくは希土類プラス、フェライトのハイブリット磁石を特徴とする組成体を有機物質の筒状体で被覆したから、従来品のような金属が直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる事を奏する。
【実施例１】
【０００７】  図１は、本考案の１実施例である。
（ａ）は紐状に成型されたプラスチック磁石の外観斜視図。（ｂ）は有機物質よりなる筒状体の外観斜視図。（ｃ）は完成した磁気装身具の正面図である。（ｄ）は磁気装身具の上面図である。
【実施例２】
【０００８】  図２は、本考案の２実施例の正面図である。
【図面の簡単な説明】
【０００９】  １は紐状に成型されたプラスチック磁石である。断面は円形乃至それに近い楕円形である。その成分組成が希土類系乃至フェライト系若しくは希土類プラス、フェライトのハイブリット系を特徴とする組成材料を押し出し機等で押し出して紐状に成型し、軸と直交する方向であって、磁極の配列が抽と平行に又は軸を中心に螺旋状になるように着磁する。着磁の強さ乃至マイナスイオン発生量は後記する筒状体２に通した時、その筒状体２の表面磁束で５０〜１００ｍＴ及び３〜６粒マイナスイオン放出とする。磁極の配列は紐の抽に対し平行な直線状でも良いが、螺旋状とすれば、紐の皮膚に当たる位置によって磁気の強さが比較的に変化が少なく、蝶旋状にすることが望ましい。【００１０】  図１（ｂ）に於いて、２は繊維、糸等を編んだ筒状体で有る。糸は金糸銀糸を混ぜても良いし、また種々の色に着色した糸でもよい。また高分子樹脂、例えば、ナイロン、ポリエステルその他の繊維や糸でもよいし、スチレンやスチロール等のチューブであってもよい。【００１１】  図１（ｃ）に於いて、３は止め具で筒状体の両端をクランプし接続具を取り付けるものである。４は環状の雄型接続具、５は突起、６は接続のための隙間、７は雌型接続具である。【００１２】  図１（ｄ）に於いて、８は接続孔である。これを製造するには着磁して紐状プラスチック磁石１を筒状体２の中を通す。次にその両端に接続具４、７の付いた止め具３を固着する。ネックレスの場合は、紐状プラスチック磁石１と筒状体２を長くし、ブレスレット乃至アンクレットの場合は、磁石１と紐状体２とを短くする。そして止め具３又は接続具４、７には真珠や宝石を用いた装飾を取り付ける。【００１３】  使用するときは、首又は手足首の周りに紐状プラスチック磁石１の入った筒状体２をループ状に折り曲げて雄型接続具４の突起５をＡ方向に動かすと隙間６が開いて雌型接続具７を通すことができ、突起５から手を放せば、不図示のスプリングの作用で隙間６が閉じ、雄型接続具４が接続孔８に挿入され、接続具４、７が外れなくなりループが形成される。このようにして、首や手足首に装着される。【００１４】  図２は本考案２実施例で雄型接続具４′としてスプリング９を有するもので、スプリング９を指で押せば隙間ができ雌型接続具７の接続孔に通すことができる。その他止め具３に接続具として左右異なった磁極を有する磁石を取り付け吸着させてループを造るようにしても良い。このようにして、金属が直接膚に触れることがないので、金属アレルギー症を起こすことを防止することができ、お洒落感覚の装身具を得ることができる。
【図面の簡単な説明】
【００１５】
【図１】  本考案１実施例の磁気装身具（ａ）紐状に成型されたプラスチック磁石の外観斜視図。（ｂ）有機物質よりなる筒状体の外観斜視図。（ｃ）１実施例の磁気装身具の上面図。（ｄ）１実施例の磁気装身具の正面図。
【図２】  本考案２実施例の磁気装身具の正面図。
【図３】  従来例１の磁気装身具の外観図。
【図４】  従来例２の磁気装身具の外観図。
【符号の説明】
【００１６】  １      紐状に成型されたプラスチック磁石
２      有機物質の筒状体
３      止め具
４      ４′雄型接続具
５      突起
６      接続のための隙間
７      雌型接続具
８      接続孔
９      スプリング
１１    磁石
１２    鎖
１３    装飾
１４    金属リング
【図１】
0003103256.tif 000003
【図２】
0003103256.tif 000004
【図３】
0003103256.tif 000005
【図４】
0003103256.tif 000006
【手続補正書】
【提出日】平成16年4月12日(2004.4.12)
【手続補正１】
【補正対象書類名】実用新案登録請求の範囲
【補正対象項目名】請求項３
【補正方法】変更
【補正の内容】
【請求項３】
磁性体の持つ磁束密度が筒状体の表面に於いて５０〜１００ｍＴである事と３〜６粒マイナスイオン放出する事を特徴とする請求項１又は２記載の磁気装身具。
【手続補正２】
【補正対象書類名】明細書
【補正対象項目名】全文
【補正方法】変更
【補正の内容】
【考案の詳細な説明】
【技術分野】
【０００１】
本考案は磁石より発生する磁気及びマイナスイオンを応用した健康磁気装身具に関する。
【背景技術】
【０００２】
従来から磁石を応用した健康磁気装身具は多数存在するが、いずれも図３に示すように棒状又は球状の固体磁石１１を適当な方法で、例えば鎖１２等で繋ぎ合わせ接続具に装飾１３に取り付けたものである。
又は図４に示すように、２個の磁石１１を金属リング１４に取り付けたものであって、美しく見せる為に鍍金または塗装されていた。
【考案の開示】
【考案が解決しようとする課題】
【０００３】
本考案は、紐状プラスチック磁石にして、その成分組成が希土類系乃至フェライト系若しくは希土類プラス、フェライトのハイブリット磁石を特徴とする組成体を有機物質の筒状体で被覆したから、従来の健康磁気装身具のような金属が、直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる事を奏する。
【０００４】
これから塗装したものは別として、鍍金したものは表面が金、又はプラチナなどの金属であり、皮膚の弱い特異体質の人々に対しては金属アレルギー症状を引き起こす事もあり、また焼結合金の磁石を用いるため磁束保持力が弱く磁力の持続性が無く磁気効果が低下しやすかった。また磁気が膚に当たるのは局所的であり、その効果も局所的で十分な効果が得られなかった。よって本考案はこれらの問題点を解決する為になされたものであって、その目的は金属アレルギーの発生を抑え、磁気乃至マイナスイオン効果及びその持続性の高い磁気装身具を得ようとするものである。
【課題を解決するための手段】
【０００５】
本考案は紐状に成型し、その軸方向と直交する方向であって磁極の配列が軸と平行に又は軸を中心に螺旋状になるように着磁し、有機物質からなる筒状体で被覆したことを特徴とする。そして磁気の強さが筒状体の表面に於いて５０〜１００ｍＴである事と３〜６粒マイナスイオン放出し、有機物質の筒状体が動物又は人工の皮革、動植物又は高分子樹脂の繊維、糸、布地或いは高分子樹脂のシートからなることを特徴とする。従来の健康磁気装身具のような金属が、直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる。
【考案の効果】
【０００６】
本考案は上記したような構成になっており、紐状プラスチック磁石にして、その成分組成が希土類系乃至フェライト系若しくは希土類プラス、フェライトのハイブリット磁石を特徴とする組成体を有機物質の筒状体で被覆したから、従来品のような金属が直接膚に触れることがなく、したがって金属アレルギーを起こすことを無くすことができる。また磁力を適度の強さとし、また一様に近い磁気が連続して膚に当たるようにしたので、マイナスイオン効果も含め磁気の効能を更に向上することができる事を奏する。
【考案を実施するための最良の形態】
【０００７】
図１は本考案の１実施例である。
（ａ）は紐状に成型されたプラスチック磁石の外観斜視図。（ｂ）は有機物質よりなる筒状体の外観斜視図。（ｃ）は完成した磁気装身具の正面図である。（ｄ）は磁気装身具の上面図である。
【０００８】
図２は、本考案の２実施例の正面図である。
【０００９】
１は紐状に成型されたプラスチック磁石である。断面は円形乃至それに近い楕円形である。その成分組成が希土類系乃至フェライト系若しくは希土類プラス、フェライトのハイブリット系を特徴とする組成材料を押し出し機等で押し出して紐状に成型し、軸と直交する方向であって、磁極の配列が抽と平行に又は軸を中心に螺旋状になるように着磁する。着磁の強さ乃至マイナスイオン発生量は後記する筒状体２に通した時、その筒状体２の表面磁束で５０〜１００ｍＴ及び３〜６粒マイナスイオン放出とする。磁極の配列は紐の抽に対し平行な直線状でも良いが、螺旋状とすれば、紐の皮膚に当たる位置によって磁気の強さが比較的に変化が少なく、螺旋状にすることが望ましい。
【００１０】
図１（ｂ）に於いて、２は繊維、糸等を編んだ筒状体で有る。糸は金糸銀糸を混ぜても良いし、また種々の色に着色した糸でもよい。また高分子樹脂、例えば、ナイロン、ポリエステルその他の繊維や糸でもよいし、スチレンやスチロール等のチューブであってもよい。
【００１１】
図１（ｃ）に於いて、３は止め具で筒状体の両端をクランプし接続具を取り付けるものである。４は環状の雄型接続具、５は突起、６は接続のための隙間、７は雌型接続具である。
【００１２】
図１（ｄ）に於いて、８は接続孔である。これを製造するには着磁して紐状プラスチック磁石１を筒状体２の中を通す。次にその両端に接続具４、７の付いた止め具３を固着する。ネックレスの場合は、紐状プラスチック磁石１と筒状体２を長くし、プレスレット乃至アンクレットの場合は、磁石１と紐状体２とを短くする。そして止め具３又は接続具４、７には真珠や宝石を用いた装飾を取り付ける。
【００１３】
使用するときは、首又は手足首の周りに紐状プラスチック磁石１の入った筒状体２をループ状に折り曲げて雄型接続具４の突起５をＡ方向に動かすと隙間６が開いて雌型接続具７を通すことができ、突起５から手を放せば、不図示のスプリングの作用で隙間６が閉じ、雄型接続具４が接続孔８に挿入され、接続具４、７が外れなくなりループが形成される。このようにして、首や手足首に装着される。
【００１４】
図２は本考案２実施例で雄型接続具４´としてスプリング９を有するもので、スプリング９を指で押せば隙間ができ雌型接続具７の接続孔に通すことができる。その他止め具３に接続具として左右異なった磁極を有する磁石を取り付け吸着させてループを造るようにしても良い。このようにして、金属が直接膚に触れることがないので、金属アレルギー症を起こすことを防止することができ、お洒落感覚の装身具を得ることができる。
【図面の簡単な説明】
【００１５】
【図１】本考案１実施例の磁気装身具      （ａ）紐状に成型されたプラスチック磁石の外観斜視図。      （ｂ）有機物質よりなる筒状体の外観斜視図。      （ｃ）１実施例の磁気装身具の上面図。      （ｄ）１実施例の磁気装身具の正面図。
【図２】本考案２実施例の磁気装身具の正面図。
【図３】従来例１の磁気装身具の外観図。
【図４】従来例２の磁気装身具の外観図。
【符号の説明】
【００１６】
１  紐状に成型されたプラスチック磁石
２  有機物質の筒状体
３  止め具
４  ４´雄型接続具
５  突起
６  接続のための隙間
７  雌型接続具
８  接続孔
９  スプリング
１１  磁石
１２  鎖
１３  装飾
１４  金属リング